(57)【特許請求の範囲】
【請求項１】
撮像装置の目標の露出値に基づいて前記撮像装置の絞り値及び露光時間の少なくとも一方を制御する制御装置であって、
適正露出となる目標の露出値を満たす第１絞り値及び第１露光時間を決定し、前記第１絞り値が予め定められた絞り値範囲内にない、または前記第１露光時間が予め定められた露光時間範囲内にない場合、前記予め定められた絞り値範囲内の第２絞り値及び前記予め定められた範囲内の第２露光時間を決定し、前記第２絞り値及び前記第２露光時間で、適正露出とすべく、前記撮像装置が備えるイメージセンサに入射する光を透過する光学デバイスの光の透過率を変更するように構成される回路を備え、
前記光学デバイスは、第１偏光フィルタと、前記第１偏光フィルタと光軸方向において重なる第２偏光フィルタと、前記第１偏光フィルタ及び前記第２偏光フィルタを回転させる回転機構とを有し、
前記回路は、前記回転機構を介して前記第１偏光フィルタを透過する光の偏光方向と前記第２偏光フィルタを透過する光の偏光方向との相対的な位置関係を調整することで、前記光学デバイスの透過率を変更するように構成され、
前記撮像装置は、回転可能に支持機構に支持され、
前記回路は、前記撮像装置を第１方向に回転させるための前記支持機構に対する制御命令に基づいて、前記第１偏光フィルタの偏光方向と前記第２偏光フィルタの偏光方向との相対的な位置関係を維持しながら、前記第１偏光フィルタ及び前記第２偏光フィルタを前記第１方向と反対の第２方向に回転させるように前記回転機構を制御するように構成される、制御装置。
【請求項２】
前記回路は、
前記撮像装置の絞り値及び露光時間の少なくとも一方を変更するための指示データを取得し、
前記指示データ及び前記目標の露出値に基づいて、前記第１絞り値及び前記第１露光時間を決定し、
前記第１絞り値が前記予め定められた絞り値範囲内にない、または前記第１露光時間が前記予め定められた露光時間範囲内にない場合、前記指示データ及び前記目標の露出値に基づいて、前記予め定められた絞り値範囲内の前記第２絞り値及び前記予め定められた範囲内の前記第２露光時間を決定し、
前記目標の露出値と、前記第２絞り値及び前記第２露光時間に基づく露出値との差分に基づいて、前記光学デバイスの透過率を変更するように構成される、請求項１に記載の制御装置。
【請求項３】
前記回路は、前記撮像装置が静止画を撮像する場合、前記光学デバイスの透過率を第１速度で変更し、前記撮像装置が動画を撮像する場合、前記光学デバイスの透過率を前記第１速度よりも遅い第２速度で変更するように構成される、請求項１または２に記載の制御装置。
【請求項４】
請求項１から３の何れか１つに記載の制御装置と、
前記光学デバイスと
前記イメージセンサと
を備える撮像装置。
【請求項５】
請求項４に記載の撮像装置と、
前記撮像装置を回転可能に支持する支持機構と
を備える撮像システム。
【請求項６】
請求項５に記載の撮像システムを備えて移動する移動体。
【請求項７】
撮像装置の目標の露出値に基づいて前記撮像装置の絞り値及び露光時間の少なくとも一方を制御する制御方法であって、
適正露出となる目標の露出値を満たす第１絞り値及び第１露光時間を決定する段階と、
前記第１絞り値が予め定められた絞り値範囲内にない、または前記第１露光時間が予め定められた露光時間範囲内にない場合、前記予め定められた絞り値範囲内の第２絞り値及び前記予め定められた範囲内の第２露光時間を決定する段階と、
前記第２絞り値及び前記第２露光時間で、適正露出とすべく、前記撮像装置が備えるイメージセンサに入射する光を透過する光学デバイスの光の透過率を変更する段階を備え、
前記光学デバイスは、第１偏光フィルタと、前記第１偏光フィルタと光軸方向において重なる第２偏光フィルタと、前記第１偏光フィルタ及び前記第２偏光フィルタを回転させる回転機構とを有し、
前記透過率を変更する段階は、前記回転機構を介して前記第１偏光フィルタを透過する光の偏光方向と前記第２偏光フィルタを透過する光の偏光方向との相対的な位置関係を調整することで、前記光学デバイスの透過率を変更する段階を含み、
前記撮像装置は、回転可能に支持機構に支持され、
前記制御方法は、
前記撮像装置を第１方向に回転させるための前記支持機構に対する制御命令に基づいて、前記第１偏光フィルタの偏光方向と前記第２偏光フィルタの偏光方向との相対的な位置関係を維持しながら、前記第１偏光フィルタ及び前記第２偏光フィルタを前記第１方向と反対の第２方向に回転させるように前記回転機構を制御する段階をさらに備える、制御方法。
【請求項８】
請求項１から３の何れか１つに記載の制御装置としてコンピュータを機能させるためのプログラム。
【発明の詳細な説明】
【技術分野】
【０００１】
本発明は、制御装置、撮像装置、撮像システム、移動体、制御方法、及びプログラムに関する。
【背景技術】
【０００２】
特許文献１には、ＰＬフィルタを回転させることで、入力画像の輝度レベルを変化させることが記載されている。
［先行技術文献］
［特許文献］
［特許文献１］  特開２０１４−７４８３８号公報
【発明の概要】
【発明が解決しようとする課題】
【０００３】
自動露出制御による露出が必ずしもユーザの意図に沿った露出にならない場合がある。
【課題を解決するための手段】
【０００４】
本発明の一態様に係る制御装置は、撮像装置の目標の露出値に基づいて撮像装置の絞り値及び露光時間の少なくとも一方を制御する制御装置でよい。制御装置は、撮像装置が備えるイメージセンサに入射する光を透過する光学デバイスの光の透過率に基づいて、目標の露出値を変更するように構成される回路を備えてよい。
【０００５】
回路は、撮像装置の絞り値及び露光時間の少なくとも一方を変更するための指示データを取得するように構成されてよい。回路は、指示データ及び目標の露出値に基づいて、第１絞り値及び第１露光時間を決定するように構成されてよい。回路は、第１絞り値が予め定められた絞り値範囲内にない、または第１露光時間が予め定められた露光時間範囲内にない場合、光学デバイスの透過率を変更するように構成されてよい。回路は、変更された光学デバイスの透過率に基づいて、目標の露出値を変更するように構成されてよい。
【０００６】
回路は、指示データ及び目標の露出値に基づいて、予め定められた絞り値範囲内の第２絞り値及び予め定められた範囲内の第２露光時間を決定するように構成されてよい。回路は、変更される前の目標の露出値と、第２絞り値及び第２露光時間に基づく露出値との差分に基づいて、光学デバイスの透過率を変更するように構成されてよい。
【０００７】
光学デバイスは、第１偏光フィルタと、第１偏光フィルタと光軸方向において重なる第２偏光フィルタと、第１偏光フィルタを回転させる回転機構とを有してよい。回路は、回転機構を介して第１偏光フィルタを透過する光の偏光方向と第２偏光フィルタを透過する光の偏光方向との相対的な位置関係を調整することで、光学デバイスの透過率を変更するように構成されてよい。
【０００８】
撮像装置は、回転可能に支持機構に支持されてよい。回転機構は、第２偏光フィルタをさらに回転させてよい。回路は、撮像装置を第１方向に回転させるための支持機構に対する制御命令に基づいて、第１偏光フィルタの偏光方向と第２偏光フィルタの偏光方向との相対的な位置関係を維持しながら、第１偏光フィルタ及び第２偏光フィルタを第１方向と反対の第２方向に回転させるように回転機構を制御するように構成されてよい。
【０００９】
回路は、撮像装置が静止画を撮像する場合、光学デバイスの透過率を第１速度で変更し、撮像装置が動画を撮像する場合、光学デバイスの透過率を第１速度よりも遅い第２速度で変更するように構成されてよい。
【００１０】
撮像装置は、上記制御装置と、光学デバイスと、イメージセンサとを備えてよい。
【００１１】
本発明の一態様に係る撮像システムは、上記撮像装置と、撮像装置を回転可能に支持する支持機構とを備えてよい。
【００１２】
本発明の一態様に係る移動体は、上記撮像システムを備えて移動する移動体でよい。
【００１３】
本発明の一態様に係る制御方法は、撮像装置の目標の露出値に基づいて撮像装置の絞り値及び露光時間の少なくとも一方を制御する制御方法でよい。制御方法は、撮像装置が備えるイメージセンサに入射する光を透過する光学デバイスの光の透過率に基づいて、目標の露出値を変更する段階を備えてよい。
【００１４】
本発明の一態様に係るプログラムは、上記制御装置としてコンピュータを機能させるためのプログラムでよい。
【００１５】
本発明の一態様によれば、ユーザの意図に沿った露出をより実現しやすくできる。
【００１６】
なお、上記の発明の概要は、本発明の必要な特徴の全てを列挙したものではない。また、これらの特徴群のサブコンビネーションもまた、発明となりうる。
【図面の簡単な説明】
【００１７】
【図１】無人航空機及び遠隔操作装置の外観の一例を示す図である。
【図２】無人航空機の機能ブロックの一例を示す図である。
【図３】偏光フィルタの回転角度と、透過率との関係の一例を示す図である。
【図４】撮像装置が静止画を撮像する時の光学デバイスの透過率の変化速度、及び撮像装置が動画を撮像するときの光学デバイスの透過率の変化速度の様子の一例を示す図である。
【図５】偏光フィルタ駆動部の駆動モータのステップ数と、偏光フィルタの偏波面角度との関係の一例を示す図である。
【図６】撮像装置の回転に応じた駆動モータの駆動の様子を示す図である。
【図７】ハードウェア構成の一例を示す図である。
【発明を実施するための形態】
【００１８】
以下、発明の実施の形態を通じて本発明を説明するが、以下の実施の形態は特許請求の範囲に係る発明を限定するものではない。また、実施の形態の中で説明されている特徴の組み合わせの全てが発明の解決手段に必須であるとは限らない。以下の実施の形態に、多様な変更または改良を加えることが可能であることが当業者に明らかである。その様な変更または改良を加えた形態も本発明の技術的範囲に含まれ得ることが、特許請求の範囲の記載から明らかである。
【００１９】
特許請求の範囲、明細書、図面、及び要約書には、著作権による保護の対象となる事項が含まれる。著作権者は、これらの書類の何人による複製に対しても、特許庁のファイルまたはレコードに表示される通りであれば異議を唱えない。ただし、それ以外の場合、一切の著作権を留保する。
【００２０】
本発明の様々な実施形態は、フローチャート及びブロック図を参照して記載されてよく、ここにおいてブロックは、（１）操作が実行されるプロセスの段階または（２）操作を実行する役割を持つ装置の「部」を表わしてよい。特定の段階及び「部」が、プログラマブル回路、及び／またはプロセッサによって実装されてよい。専用回路は、デジタル及び／またはアナログハードウェア回路を含んでよい。集積回路（ＩＣ）及び／またはディスクリート回路を含んでよい。プログラマブル回路は、再構成可能なハードウェア回路を含んでよい。再構成可能なハードウェア回路は、論理ＡＮＤ、論理ＯＲ、論理ＸＯＲ、論理ＮＡＮＤ、論理ＮＯＲ、及び他の論理操作、フリップフロップ、レジスタ、フィールドプログラマブルゲートアレイ（ＦＰＧＡ）、プログラマブルロジックアレイ（ＰＬＡ）等のようなメモリ要素等を含んでよい。
【００２１】
コンピュータ可読媒体は、適切なデバイスによって実行される命令を格納可能な任意の有形なデバイスを含んでよい。その結果、そこに格納される命令を有するコンピュータ可読媒体は、フローチャートまたはブロック図で指定された操作を実行するための手段を作成すべく実行され得る命令を含む、製品を備えることになる。コンピュータ可読媒体の例としては、電子記憶媒体、磁気記憶媒体、光記憶媒体、電磁記憶媒体、半導体記憶媒体等が含まれてよい。コンピュータ可読媒体のより具体的な例としては、フロッピー（登録商標）ディスク、ディスケット、ハードディスク、ランダムアクセスメモリ（ＲＡＭ）、リードオンリメモリ（ＲＯＭ）、消去可能プログラマブルリードオンリメモリ（ＥＰＲＯＭまたはフラッシュメモリ）、電気的消去可能プログラマブルリードオンリメモリ（ＥＥＰＲＯＭ）、静的ランダムアクセスメモリ（ＳＲＡＭ）、コンパクトディスクリードオンリメモリ（ＣＤ-ＲＯＭ）、デジタル多用途ディスク（ＤＶＤ）、ブルーレイ（ＲＴＭ）ディスク、メモリスティック、集積回路カード等が含まれてよい。
【００２２】
コンピュータ可読命令は、１または複数のプログラミング言語の任意の組み合わせで記述されたソースコードまたはオブジェクトコードの何れかを含んでよい。ソースコードまたはオブジェクトコードは、従来の手続型プログラミング言語を含む。従来の手続型プログラミング言語は、アセンブラ命令、命令セットアーキテクチャ（ＩＳＡ）命令、マシン命令、マシン依存命令、マイクロコード、ファームウェア命令、状態設定データ、またはＳｍａｌｌｔａｌｋ、ＪＡＶＡ（登録商標）、Ｃ＋＋等のようなオブジェクト指向プログラミング言語、及び「Ｃ」プログラミング言語または同様のプログラミング言語でよい。コンピュータ可読命令は、汎用コンピュータ、特殊目的のコンピュータ、若しくは他のプログラム可能なデータ処理装置のプロセッサまたはプログラマブル回路に対し、ローカルにまたはローカルエリアネットワーク（ＬＡＮ）、インターネット等のようなワイドエリアネットワーク（ＷＡＮ）を介して提供されてよい。プロセッサまたはプログラマブル回路は、フローチャートまたはブロック図で指定された操作を実行するための手段を作成すべく、コンピュータ可読命令を実行してよい。プロセッサの例としては、コンピュータプロセッサ、処理ユニット、マイクロプロセッサ、デジタル信号プロセッサ、コントローラ、マイクロコントローラ等を含む。
【００２３】
図１は、無人航空機（ＵＡＶ）１０及び遠隔操作装置３００の外観の一例を示す。ＵＡＶ１０は、ＵＡＶ本体２０、ジンバル５０、複数の撮像装置６０、及び撮像装置１００を備える。ジンバル５０、及び撮像装置１００は、撮像システムの一例である。ＵＡＶ１０は、移動体とは、空中を移動する飛行体、地上を移動する車両、水上を移動する船舶等を含む概念である。空中を移動する飛行体とは、ＵＡＶの他、空中を移動する他の航空機、飛行船、ヘリコプター等を含む概念である。
【００２４】
ＵＡＶ本体２０は、複数の回転翼を備える。複数の回転翼は、推進部の一例である。ＵＡＶ本体２０は、複数の回転翼の回転を制御することでＵＡＶ１０を飛行させる。ＵＡＶ本体２０は、例えば、４つの回転翼を用いてＵＡＶ１０を飛行させる。回転翼の数は、４つには限定されない。また、ＵＡＶ１０は、回転翼を有さない固定翼機でもよい。
【００２５】
撮像装置１００は、所望の撮像範囲に含まれる被写体を撮像する撮像用のカメラである。ジンバル５０は、撮像装置１００を回転可能に支持する。ジンバル５０は、支持機構の一例である。例えば、ジンバル５０は、撮像装置１００を、アクチュエータを用いてピッチ軸で回転可能に支持する。ジンバル５０は、撮像装置１００を、アクチュエータを用いて更にロール軸及びヨー軸のそれぞれを中心に回転可能に支持する。ジンバル５０は、ヨー軸、ピッチ軸、及びロール軸の少なくとも１つを中心に撮像装置１００を回転させることで、撮像装置１００の姿勢を変更してよい。
【００２６】
複数の撮像装置６０は、ＵＡＶ１０の飛行を制御するためにＵＡＶ１０の周囲を撮像するセンシング用のカメラである。２つの撮像装置６０が、ＵＡＶ１０の機首である正面に設けられてよい。更に他の２つの撮像装置６０が、ＵＡＶ１０の底面に設けられてよい。正面側の２つの撮像装置６０はペアとなり、いわゆるステレオカメラとして機能してよい。底面側の２つの撮像装置６０もペアとなり、ステレオカメラとして機能してよい。複数の撮像装置６０により撮像された画像に基づいて、ＵＡＶ１０の周囲の３次元空間データが生成されてよい。ＵＡＶ１０が備える撮像装置６０の数は４つには限定されない。ＵＡＶ１０は、少なくとも１つの撮像装置６０を備えていればよい。ＵＡＶ１０は、ＵＡＶ１０の機首、機尾、側面、底面、及び天井面のそれぞれに少なくとも１つの撮像装置６０を備えてもよい。撮像装置６０で設定できる画角は、撮像装置１００で設定できる画角より広くてよい。撮像装置６０は、単焦点レンズまたは魚眼レンズを有してもよい。
【００２７】
遠隔操作装置３００は、ＵＡＶ１０と通信して、ＵＡＶ１０を遠隔操作する。遠隔操作装置３００は、ＵＡＶ１０と無線で通信してよい。遠隔操作装置３００は、ＵＡＶ１０に上昇、下降、加速、減速、前進、後進、回転などのＵＡＶ１０の移動に関する各種命令を示す指示情報を送信する。指示情報は、例えば、ＵＡＶ１０の高度を上昇させる指示情報を含む。指示情報は、ＵＡＶ１０が位置すべき高度を示してよい。ＵＡＶ１０は、遠隔操作装置３００から受信した指示情報により示される高度に位置するように移動する。指示情報は、ＵＡＶ１０を上昇させる上昇命令を含んでよい。ＵＡＶ１０は、上昇命令を受け付けている間、上昇する。ＵＡＶ１０は、上昇命令を受け付けても、ＵＡＶ１０の高度が上限高度に達している場合には、上昇を制限してよい。
【００２８】
図２は、ＵＡＶ１０の機能ブロックの一例を示す。ＵＡＶ１０は、ＵＡＶ制御部３０、メモリ３７、通信インタフェース３６、推進部４０、ＧＰＳ受信機４１、慣性計測装置４２、磁気コンパス４３、気圧高度計４４、温度センサ４５、湿度センサ４６、ジンバル５０、撮像装置６０、及び撮像装置１００を備える。
【００２９】
通信インタフェース３６は、遠隔操作装置３００などの他の装置と通信する。通信インタフェース３６は、遠隔操作装置３００からＵＡＶ制御部３０に対する各種の命令を含む指示情報を受信してよい。メモリ３７は、ＵＡＶ制御部３０が、推進部４０、ＧＰＳ受信機４１、慣性計測装置（ＩＭＵ）４２、磁気コンパス４３、気圧高度計４４、温度センサ４５、湿度センサ４６、ジンバル５０、撮像装置６０、及び撮像装置１００を制御するのに必要なプログラム等を格納する。メモリ３７は、コンピュータ読み取り可能な記録媒体でよく、ＳＲＡＭ、ＤＲＡＭ、ＥＰＲＯＭ、ＥＥＰＲＯＭ、ＵＳＢメモリ、及びソリッドステートドライブ（ＳＳＤ）等のフラッシュメモリの少なくとも１つを含んでよい。メモリ３７は、ＵＡＶ本体２０の内部に設けられてよい。ＵＡＶ本体２０から取り外し可能に設けられてよい。
【００３０】
ＵＡＶ制御部３０は、メモリ３７に格納されたプログラムに従ってＵＡＶ１０の飛行及び撮像を制御する。ＵＡＶ制御部３０は、ＣＰＵまたはＭＰＵ等のマイクロプロセッサ、ＭＣＵ等のマイクロコントローラ等により構成されてよい。ＵＡＶ制御部３０は、通信インタフェース３６を介して遠隔操作装置３００から受信した命令に従って、ＵＡＶ１０の飛行及び撮像を制御する。推進部４０は、ＵＡＶ１０を推進させる。推進部４０は、複数の回転翼と、複数の回転翼を回転させる複数の駆動モータとを有する。推進部４０は、ＵＡＶ制御部３０からの命令に従って複数の駆動モータを介して複数の回転翼を回転させて、ＵＡＶ１０を飛行させる。
【００３１】
ＧＰＳ受信機４１は、複数のＧＰＳ衛星から発信された時刻を示す複数の信号を受信する。ＧＰＳ受信機４１は、受信された複数の信号に基づいてＧＰＳ受信機４１の位置（緯度及び経度）、つまりＵＡＶ１０の位置（緯度及び経度）を算出する。ＩＭＵ４２は、ＵＡＶ１０の姿勢を検出する。ＩＭＵ４２は、ＵＡＶ１０の姿勢として、ＵＡＶ１０の前後、左右、及び上下の３軸方向の加速度と、ピッチ、ロール、及びヨーの３軸方向の角速度とを検出する。磁気コンパス４３は、ＵＡＶ１０の機首の方位を検出する。気圧高度計４４は、ＵＡＶ１０が飛行する高度を検出する。気圧高度計４４は、ＵＡＶ１０の周囲の気圧を検出し、検出された気圧を高度に換算して、高度を検出する。温度センサ４５は、ＵＡＶ１０の周囲の温度を検出する。湿度センサ４６は、ＵＡＶ１０の周囲の湿度を検出する。
【００３２】
撮像装置１００は、撮像部１０２及びレンズ部２００を備える。レンズ部２００は、レンズ装置の一例である。撮像部１０２は、イメージセンサ１２０、撮像制御部１１０、メモリ１３０、及び加速度センサ１４０を有する。イメージセンサ１２０は、ＣＣＤまたはＣＭＯＳにより構成されてよい。イメージセンサ１２０は、複数のレンズ２１０を介して結像された光学像を撮像し、撮像された画像を撮像制御部１１０に出力する。撮像制御部１１０は、ＣＰＵまたはＭＰＵなどのマイクロプロセッサ、ＭＣＵなどのマイクロコントローラなどにより構成されてよい。撮像制御部１１０は、回路の一例である。撮像制御部１１０は、ＵＡＶ制御部３０からの撮像装置１００の動作命令に応じて、撮像装置１００を制御してよい。撮像制御部１１０は、第１制御部及び第２制御部の一例である。メモリ１３０は、コンピュータ可読可能な記録媒体でよく、ＳＲＡＭ、ＤＲＡＭ、ＥＰＲＯＭ、ＥＥＰＲＯＭ、ＵＳＢメモリ、及びソリッドステートドライブ（ＳＳＤ）などのフラッシュメモリの少なくとも１つを含んでよい。メモリ１３０は、撮像制御部１１０がイメージセンサ１２０などを制御するのに必要なプログラム等を格納する。メモリ１３０は、撮像装置１００の筐体の内部に設けられてよい。メモリ１３０は、撮像装置１００の筐体から取り外し可能に設けられてよい。
【００３３】
加速度センサ１４０は、撮像装置１００の前後、左右、及び上下の３軸方向の加速度を検出する。撮像制御部１１０は、撮像装置１００の前後、左右、及び上下の３軸方向の加速度を示す情報を、撮像装置１００の姿勢状態を示す姿勢情報として加速度センサ１４０から取得する。
【００３４】
レンズ部２００は、複数のレンズ２１０、複数のレンズ駆動部２１２、及びレンズ制御部２２０を有する。複数のレンズ２１０は、ズームレンズ、バリフォーカルレンズ、及びフォーカスレンズとして機能してよい。複数のレンズ２１０の少なくとも一部または全部は、光軸に沿って移動可能に配置される。レンズ部２００は、撮像部１０２に対して着脱可能に設けられる交換レンズでよい。レンズ駆動部２１２は、カム環などの機構部材を介して、複数のレンズ２１０の少なくとも一部または全部を光軸に沿って移動させる。レンズ駆動部２１２は、アクチュエータを含んでよい。アクチュエータは、ステッピングモータを含んでよい。レンズ制御部２２０は、撮像部１０２からのレンズ制御命令に従って、レンズ駆動部２１２を駆動して、機構部材を介して１または複数のレンズ２１０を光軸方向に沿って移動させる。レンズ制御命令は、例えば、ズーム制御命令、及びフォーカス制御命令である。
【００３５】
レンズ部２００は、メモリ２２２、位置センサ２１４をさらに有する。レンズ制御部２２０は、撮像部１０２からのレンズ動作命令に応じてレンズ駆動部２１２を介して、レンズ２１０の光軸方向への移動を制御する。レンズ制御部２２０は、撮像部１０２からのレンズ動作命令に応じてレンズ駆動部２１２を介して、レンズ２１０の光軸方向への移動を制御する。レンズ２１０の一部または全部は、光軸に沿って移動する。レンズ制御部２２０は、レンズ２１０の少なくとも１つを光軸に沿って移動させることで、ズーム動作及びフォーカス動作の少なくとも一方を実行する。位置センサ２１４は、レンズ２１０の位置を検出する。位置センサ２１４は、現在のズーム位置またはフォーカス位置を検出してよい。
【００３６】
レンズ駆動部２１２は、振れ補正機構を含んでよい。レンズ制御部２２０は、振れ補正機構を介して、レンズ２１０を光軸に沿った方向、または光軸に垂直な方向に移動させることで、振れ補正を実行してよい。レンズ駆動部２１２は、ステッピングモータにより振れ補正機構を駆動して、振れ補正を実行してよい。なお、振れ補正機構は、ステッピングモータにより駆動されて、イメージセンサ１２０を光軸に方向に沿った方向、または光軸に垂直な方向に移動させることで、振れ補正を実行してよい。
【００３７】
メモリ２２２は、レンズ駆動部２１２を介して移動する複数のレンズ２１０の制御値を記憶する。メモリ２２２は、ＳＲＡＭ、ＤＲＡＭ、ＥＰＲＯＭ、ＥＥＰＲＯＭ、及びＵＳＢメモリなどのフラッシュメモリの少なくとも１つを含んでよい。
【００３８】
レンズ部２００は、光学デバイス２３０をさらに備える。光学デバイス２３０は、透過率を変更可能な可変ＮＤフィルタでよい。光学デバイス２３０は、偏光フィルタ駆動部２３２、偏光フィルタ２３４、及び偏光フィルタ２３６を有する。偏光フィルタ２３４及び偏光フィルタ２３６は、特定の偏光方向の光を透過させる光学フィルタである。偏光フィルタ２３４及び偏光フィルタ２３６は、撮像装置１００の光軸上に配置されてよい。
【００３９】
偏光フィルタ２３４及び偏光フィルタ２３６は、レンズ２１０とイメージセンサ１２０との間に配置されてよい。偏光フィルタ駆動部２３２は、偏光フィルタ２３４を回転させる回転機構を含む。偏光フィルタ駆動部２３２は、光軸を中心に偏光フィルタ２３４を回転させてよい。偏光フィルタ駆動部２３２は、駆動モータを含む。回転機構は、駆動モータからの動力を偏光フィルタ２３４に伝達する少なくとも１つのギアを含んでよい。駆動モータは、ステッピングモータでよい。偏光フィルタ駆動部２３２は、偏光フィルタ２３４を回転させることで、偏光フィルタ２３４を透過する光の偏光方向を変更する。偏光フィルタ２３６は、光軸上に固定されてよい。偏光フィルタ駆動部２３２は、偏光フィルタ２３４の回転を検出する回転検出センサを含む。回転検出センサは、フォトインタラプタ、可変抵抗器、ホール素子などでよい。
【００４０】
偏光フィルタ駆動部２３２は、偏光フィルタ２３４を回転させることで、絶対的空間、すなわち実空間における偏光フィルタ２３４を透過する光の偏光方向を変更する。偏光フィルタ２３４は、実空間における偏光フィルタ２３４を透過する光の偏波面の角度を変更する。偏光フィルタ駆動部２３２は、偏光フィルタ２３４を回転させることで、偏光フィルタ２３４の回転角度を変更して、偏光フィルタ２３４を透過する光の偏光方向を変更する。光学デバイス２３０は、偏光フィルタ２３４の偏光方向と、偏光フィルタ２３６の偏光方向との相対的な位置関係を調整することで、光学デバイス２３０の透過率を変更できる。なお、光学デバイス２３０は、可変式ＮＤフィルタであれば、電気的に光の透過率を調整可能な他のタイプのフィルタでもよい。光学デバイス２３０は、例えば、エレクトロクロミック素子でもよい。エレクトロクロミック素子は、電圧を印加、または電流を流すことにより可逆的に光学的吸収が生じるエレクトロミック材料を含む。光学デバイス２３０は、電圧を印加することにより液晶配列を変更して、透過率を調整可能な液晶タイプのＮＤフィルタでもよい。
【００４１】
撮像部１０２は、測光センサ１５０を含む。測光センサ１５０は、レンズ２１０を通過する光の光量を検出する。測光センサ１５０は、ＴＴＬ露出計である。撮像制御部１１０は、自動露出制御部１１２、透過率制御部１１４を含む。自動露出制御部１１２は、絞り及びシャターを制御することで、自動露出制御を実行する。透過率制御部１１４は、偏光フィルタ駆動部２３２を制御して、光学デバイス２３０の透過率を制御する。
【００４２】
自動露出制御部１１２は、測光センサ１５０により検出された光量に基づいて、適正露出である目標の露出値（ＥＶ値）を決定する。自動露出制御部１１２は、目標の露出値に基づいて、絞りの絞り値及びシャッターのシャッター速度（露光時間）を決定する。自動露出制御部１１２は、目標の露出値に基づいて、絞り値の指標であるＡＶ値、及びシャッター速度の指標であるＴＶ値を決定する。自動露出制御部１１２は、ＡＶ値に基づいて絞りを制御し、ＴＶ値に基づいてシャッター速度を制御する。自動露出制御部１１２は、ＩＳＯ感度を調整することで、露出値が適正露出になるように制御してもよい。
【００４３】
ところで、自動露出制御部１１２により決定された絞り値（ＡＶ値）、及びシャッター速度（ＴＶ値）で撮像された画像が、必ずしもユーザが意図した画像になるとは限らない。例えば、撮像装置１００で動画を撮像する場合に、自動露出制御部１１２により決定されたシャッター速度が速すぎて、滑らかでない、パラパラ漫画風の映像になってしまう場合がある。
【００４４】
上記のような場合、シャッター速度を遅くして、露光時間を長くすることが考えられる。この場合、絞り値を大きくすれば、適正露出になる可能性がある。例えば、自動露出制御により、適正露出のＥＶ値が１４、ＡＶ値が６、ＴＶ値が８に設定されているとする。このときに、シャッター速度を遅くすべく、ＴＶ値を６に設定しようとする。ＡＶ値とＴＶ値との合計がＥＶ値（ＥＶ値＝ＡＶ値＋ＴＶ値）であるので、この場合、ＡＶ値を８に設定できれば、適正露出になる。しかし、ユーザが意図した画像を得るために、絞り値を変更したくない場合がある。すなわち、ＡＶ値を８に設定したくない場合がある。この場合、シャッター速度を遅くすると、撮像装置１００は、適正露出で撮像できない。
【００４５】
そこで、本実施形態では、透過率制御部１１４が、光学デバイス２３０の透過率を調整。ＡＶ値を６から８に設定できない場合には、透過率制御部１１４は、イメージセンサ１２０に入射される光の量を２段分暗くなるように光学デバイス２３０の透過率を調整する。これにより、例えば、絞り値を変更せず、かつシャッター速度を遅くしても、撮像装置１００は、適正露出で撮像された画像の明るさと同程度の明るさの画像を撮像できる。
【００４６】
撮像制御部１１０は、測光センサ１５０からの光の光量、及び設定されているＩＳＯ感度に基づいて、適正露出になる目標の露出値を決定する。撮像制御部１１０は、イメージセンサ１２０に入射する光を透過する光学デバイス２３０の光の透過率に基づいて、目標の露出値を変更する。撮像制御部１１０は、絞り値及び露光時間の少なくとも一方を変更するための指示データを取得する。撮像制御部１１０は、ユーザから指示データを取得する。撮像制御部１１０は、遠隔操作装置３００を介して指示データを取得する。撮像制御部１１０は、例えば、指示データとして、ＴＶ値を、「８」から「６」に変更する指示データを取得する。
【００４７】
自動露出制御部１１２は、指示データ及び目標の露出値に基づいて、第１絞り値及び第１露光時間を決定する。例えば、自動露出制御部１１２は、指示データで指定されたＴＶ値を第１露光時間として決定し、そのＴＶ値で適正露出が得られるＡＶ値を第１絞り値として決定する。
【００４８】
透過率制御部１１４は、第１絞り値が予め定められた絞り値範囲内にない、または第１露光時間が予め定められた露光時間範囲内にない場合、光学デバイス２３０の透過率を変更する。例えば、透過率制御部１１４は、絞り値が固定である場合、ＴＶ値の変更に伴い、ＡＶ値を変更できないので、第１絞り値が予め定められた絞り値範囲内にないと判断する。予め定められた絞り値範囲、及び予め定められた露光時間範囲は、ユーザにより設定されたり、絞り優先、シャッター優先などの撮影モードに従って設定されてよい。予め定められた絞り値範囲は、複数の段数のＡＶ値、例えば、第１のＡＶ値から第２のＥＶ値までの範囲、またはいずれか１段のＡＶ値でよい。予め定められた露光時間範囲は、複数の段数のＴＶ値、例えば、第１ＴＶ値から第２ＴＶ値までの範囲、またはいずれか１段のＴＶ値でよい。
【００４９】
第１絞り値が予め定められた絞り値範囲内にない場合、透過率制御部１１４は、指示データ及び目標の露出値に基づいて、予め定められた絞り値範囲内の第２絞り値及び予め定められた範囲内の第２露光時間を決定する。例えば、絞り値が固定である場合、透過率制御部１１４は、指示データに示されたＴＶ値を第２露光時間として決定し、現在のＡＶ値を第２絞り値として決定する。透過率制御部１１４は、変更される前の目標の露出値と、第２絞り値及び前記第２露光時間に基づく露出値との差分に基づいて、光学デバイス２３０の透過率を変更する。透過率制御部１１４は、変更される前の目標の露出値と、第２絞り値及び前記第２露光時間に基づく露出値との差の段数に基づいて、光学デバイス２３０の透過率を変更する。透過率制御部１１４は、差の段数に相当する透過率になるように光学デバイス２３０の透過率を変更する。
【００５０】
例えば、変更される前の目標の露出値が「１４」で、第２絞り値に相当するＡＶ値が「６」、第２露光時間に相当するＴＶ値が「６」である場合、第２絞り値及び第２露光時間に基づく露出値は、「１２」である。透過率制御部１１４は、「２」段分だけイメージセンサ１２０に入力される光の光量が多いので、「２」段分だけイメージセンサ１２０に入力される光量が少なくなるように、光学デバイス２３０の透過率を変更する。透過率制御部１１４は、偏光フィルタ２３４の回転角度を制御することで、光学デバイス２３０の透過率を変更する。
【００５１】
自動露出制御部１１２は、変更された光学デバイス２３０の透過率に基づいて、目標の露出値を変更する。例えば、自動露出制御部１１２は、変更された光学デバイス２３０の透過率に基づいて、目標の露出値を「１４」から「１２」に変更する。これにより、撮像装置１００は、目標の露出値が「１４」のときと同等の明るさの画像を撮像できる。
【００５２】
図３は、偏光フィルタ２３４の回転角度と、透過率Ｋとの関係の一例を示す。透過率制御部１１４が、光学デバイス２３０の透過率Ｋを変更することで、適正露出を変更できる。例えば、透過率Ｋを下げることで、適正露出となるＥＶ値を小さくできる。
【００５３】
図４は、撮像装置１００が静止画を撮像する時の光学デバイス２３０の透過率の変化速度、及び撮像装置１００が動画を撮像する時の光学デバイス２３０の透過率の変化速度の様子の一例を示す図である。撮像装置１００が動画を撮像時に、光学デバイス２３０の透過率が急激に変化すると、画像がちらつくなど、画像に悪影響を与える可能性がある。そこで、透過率制御部１１４は、撮像装置１００が静止画を撮影する場合、光学デバイス２３０の透過率を第１速度で変更し、撮像装置１００が動画を撮影する場合、光学デバイス２３０の透過率を第１速度よりも遅い第２速度で変更してよい。
【００５４】
ところで、ＵＡＶ１０の姿勢の経時的な変化に伴い、撮像装置１００の姿勢は、経時的に変化する。撮像装置１００の姿勢が変化すると、偏光フィルタ２３４及び偏光フィルタ２３６を通過する光の偏光方向が変化してしまう。偏光方向が変化すると、イメージセンサ１２０に入射する特定の偏光方向の光の強度が変化してしまう可能性がある。例えば、イメージセンサ１２０に入射する水面で反射した太陽光の光の強度が変化してしまう可能性がある。すなわち、撮像装置１００がユーザの意図に従った作風の画像を撮像できない可能性がある。
【００５５】
ここで、偏光フィルタ駆動部２３２は、偏光フィルタ２３４に加えて偏光フィルタ２３６を光軸を中心に回転させてもよい。この場合、撮像装置１００の姿勢を検知して、撮像装置１００の姿勢に応じて偏光フィルタ２３４及び偏光フィルタ２３６の回転角度を変更することが考えられる。しかし、この手法のようにフィードバックで偏光フィルタ２３４及び偏光フィルタ２３６の回転角度を変更する場合、撮像装置１００の姿勢が経時的に変化する場合に、偏光フィルタ２３４及び偏光フィルタ２３６の回転角度を必ずしも適切に制御できない。
【００５６】
そこで、透過率制御部１１４は、フィードフォワードで偏光フィルタ２３４及び偏光フィルタ２３６の回転角度を、偏光フィルタ２３４の偏光方向と、偏光フィルタ２３６の偏光方向との相対的な位置関係を維持しながら回転させてよい。
【００５７】
透過率制御部１１４は、偏光フィルタ２３４及び偏光フィルタ２３６の偏光方向の相対的な位置関係を維持しながら、撮像装置１００を回転可能に支持するジンバル５０への、撮像装置１００を第１方向に回転させるための制御命令に基づいて、偏光フィルタ２３４及び偏光フィルタ２３６を、第１方向と反対の第２方向に回転させるように偏光フィルタ駆動部２３２を制御してよい。透過率制御部１１４は、制御命令に基づく撮像装置１００の第１方向への回転量だけ、偏光フィルタ２３４を第２方向に回転させるように偏光フィルタ駆動部２３２を制御してよい。透過率制御部１１４は、光学デバイス２３０の透過率を維持しながら、撮像装置１００を回転可能に支持するジンバル５０への、撮像装置１００を第１方向に回転させるための制御命令に基づいて、偏光フィルタ２３４及び偏光フィルタ２３６を、第１方向と反対の第２方向に回転させるように偏光フィルタ駆動部２３２を制御してよい。
【００５８】
図５は、偏光フィルタ駆動部２３２の駆動モータのステップ数と、偏光フィルタ２３４の偏波面角度との関係を示す。偏光フィルタ２３４の偏波面角度は、偏光フィルタ２３４を通過する光の偏波面）と撮像装置１００の水平面となす角度である。偏光面は、偏光方向を含む平面である。撮像装置１００の水平面は、撮像装置１００が基準姿勢（光軸が水平方向を向いている）のときの光軸を含む平面でよい。
【００５９】
ステップ数が増加すると、偏光フィルタ２３４及び偏光フィルタ２３６が第１方向（正方向）に回転する。駆動モータのステップ数が＋Ｎのときに、偏光フィルタ２３４及び偏光フィルタ２３６の回転角度が＋１８０度になる。一方、駆動モータのステップ数が−Ｎのときに、偏光フィルタ２３４及び偏光フィルタ２３６の回転角度は−１８０度になる。
【００６０】
図６は、撮像装置１００の回転に応じた駆動モータの駆動の様子を示す。ＵＡＶ１０が飛行している状態で、撮像装置１００が被写体を撮像している様子を示す。ステップ１において、ＵＡＶ１０の飛行状態は、地面に対して水平状態で、かつジンバル５０に支持されている撮像装置１００の姿勢状態も、地面に対して水平状態である。すなわち、撮像装置１００の光軸を含む平面と地面とは平行である。この状態で、ＵＡＶ制御部３０からジンバル５０に対して、撮像装置１００の姿勢状態を地面に対して＋３０度だけ光軸を中心に回転させる制御命令が出力される。これにより、ステップ１からステップ２に移行する。
【００６１】
ステップ２において、撮像制御部１１０は、制御命令に同期させて、偏光フィルタ２３４及び偏光フィルタ２３６の偏光方向の相対的な位置関係を維持しながら、偏光フィルタ２３４及び偏光フィルタ２３６を−３０度（−Ｎ／６ステップ）だけ回転させる回転駆動命令を駆動モータに出力する。これにより、偏光フィルタ２３４及び偏光フィルタ２３６を通過する光の偏光方向を維持させることができる。すなわち、光学デバイス２３０の透過率を維持しながら、偏光フィルタ２３４及び偏光フィルタ２３６のそれぞれの回転角度を地面に対して一定の角度に維持できる。
【００６２】
次いで、ステップ３において、ＵＡＶ１０の飛行状態が、地面に対して水平状態で、ジンバル５０に支持された撮像装置１００の姿勢状態を地面に対して−３０度だけ光軸を中心に回転させる。
【００６３】
ステップ３において、ＵＡＶ制御部３０からジンバル５０に対して、撮像装置１００の姿勢状態を地面に対して＋３０度から−３０度だけ、光軸を中心に回転させる制御命令が出力される。撮像制御部１１０は、この制御命令に同期させて、偏光フィルタ２３４及び偏光フィルタ２３６を−３０度から＋３０度だけ（−Ｎ／６ステップから＋Ｎ／６ステップまで）回転させる回転駆動命令を駆動モータに出力する。これにより、撮像装置１００は、一定の回転速度で、光軸を中心に第２方向（負方向）に回転する。よって、偏光フィルタ２３４及び偏光フィルタ２３６を通過する光の偏光方向を維持させることができる。すなわち、光学デバイス２３０の透過率を維持しながら、偏光フィルタ２３４及び偏光フィルタ２３６のそれぞれの回転角度を地面に対して一定の角度に維持できる。
【００６４】
その後、ジンバル５０が、撮像装置１００の姿勢状態を地面に対して水平状態に制御する。そして、この間に、撮像制御部１１０は、偏光フィルタ２３４と偏光フィルタ２３６との偏光方向の相対的な位置関係を維持しながら、例えば、偏光フィルタ２３４の回転角度が、地面に対して水平（０度）になるように駆動モータを駆動させる。
【００６５】
以上のように、撮像制御部１１０は、ジンバル５０に対する制御命令に従って、フィードフォワードで、偏光フィルタ２３４及び偏光フィルタ２３６を回転させる。これにより、光学デバイス２３０の透過率を維持しながら、偏光フィルタ２３４及び偏光フィルタ２３６のそれぞれの偏光方向を地面に対して一定の方向に維持させることができる。よって、撮像装置１００の姿勢が変化することで、偏光フィルタ２３４及び偏光フィルタ２３６の偏光方向が変化して、撮像装置１００がユーザの意図に従った作風の画像を撮像できなくなることを防止できる。
【００６６】
図７は、本発明の複数の態様が全体的または部分的に具現化されてよいコンピュータ１２００の一例を示す。コンピュータ１２００にインストールされたプログラムは、コンピュータ１２００に、本発明の実施形態に係る装置に関連付けられるオペレーションまたは当該装置の１または複数の「部」として機能させることができる。または、当該プログラムは、コンピュータ１２００に当該オペレーションまたは当該１または複数の「部」を実行させることができる。当該プログラムは、コンピュータ１２００に、本発明の実施形態に係るプロセスまたは当該プロセスの段階を実行させることができる。そのようなプログラムは、コンピュータ１２００に、本明細書に記載のフローチャート及びブロック図のブロックのうちのいくつかまたはすべてに関連付けられた特定のオペレーションを実行させるべく、ＣＰＵ１２１２によって実行されてよい。
【００６７】
本実施形態によるコンピュータ１２００は、ＣＰＵ１２１２、及びＲＡＭ１２１４を含み、それらはホストコントローラ１２１０によって相互に接続されている。コンピュータ１２００はまた、通信インタフェース１２２２、入力／出力ユニットを含み、それらは入力／出力コントローラ１２２０を介してホストコントローラ１２１０に接続されている。コンピュータ１２００はまた、ＲＯＭ１２３０を含む。ＣＰＵ１２１２は、ＲＯＭ１２３０及びＲＡＭ１２１４内に格納されたプログラムに従い動作し、それにより各ユニットを制御する。
【００６８】
通信インタフェース１２２２は、ネットワークを介して他の電子デバイスと通信する。ハードディスクドライブが、コンピュータ１２００内のＣＰＵ１２１２によって使用されるプログラム及びデータを格納してよい。ＲＯＭ１２３０はその中に、アクティブ化時にコンピュータ１２００によって実行されるブートプログラム等、及び／またはコンピュータ１２００のハードウェアに依存するプログラムを格納する。プログラムが、ＣＲ−ＲＯＭ、ＵＳＢメモリまたはＩＣカードのようなコンピュータ可読記録媒体またはネットワークを介して提供される。プログラムは、コンピュータ可読記録媒体の例でもあるＲＡＭ１２１４、またはＲＯＭ１２３０にインストールされ、ＣＰＵ１２１２によって実行される。これらのプログラム内に記述される情報処理は、コンピュータ１２００に読み取られ、プログラムと、上記様々なタイプのハードウェアリソースとの間の連携をもたらす。装置または方法が、コンピュータ１２００の使用に従い情報のオペレーションまたは処理を実現することによって構成されてよい。
【００６９】
例えば、通信がコンピュータ１２００及び外部デバイス間で実行される場合、ＣＰＵ１２１２は、ＲＡＭ１２１４にロードされた通信プログラムを実行し、通信プログラムに記述された処理に基づいて、通信インタフェース１２２２に対し、通信処理を命令してよい。通信インタフェース１２２２は、ＣＰＵ１２１２の制御の下、ＲＡＭ１２１４、またはＵＳＢメモリのような記録媒体内に提供される送信バッファ領域に格納された送信データを読み取り、読み取られた送信データをネットワークに送信し、またはネットワークから受信した受信データを記録媒体上に提供される受信バッファ領域等に書き込む。
【００７０】
また、ＣＰＵ１２１２は、ＵＳＢメモリ等のような外部記録媒体に格納されたファイルまたはデータベースの全部または必要な部分がＲＡＭ１２１４に読み取られるようにし、ＲＡＭ１２１４上のデータに対し様々なタイプの処理を実行してよい。ＣＰＵ１２１２は次に、処理されたデータを外部記録媒体にライトバックしてよい。
【００７１】
様々なタイプのプログラム、データ、テーブル、及びデータベースのような様々なタイプの情報が記録媒体に格納され、情報処理を受けてよい。ＣＰＵ１２１２は、ＲＡＭ１２１４から読み取られたデータに対し、本開示の随所に記載され、プログラムの命令シーケンスによって指定される様々なタイプのオペレーション、情報処理、条件判断、条件分岐、無条件分岐、情報の検索／置換等を含む、様々なタイプの処理を実行してよく、結果をＲＡＭ１２１４に対しライトバックする。また、ＣＰＵ１２１２は、記録媒体内のファイル、データベース等における情報を検索してよい。例えば、各々が第２の属性の属性値に関連付けられた第１の属性の属性値を有する複数のエントリが記録媒体内に格納される場合、ＣＰＵ１２１２は、第１の属性の属性値が指定される、条件に一致するエントリを当該複数のエントリの中から検索し、当該エントリ内に格納された第２の属性の属性値を読み取り、それにより予め定められた条件を満たす第１の属性に関連付けられた第２の属性の属性値を取得してよい。
【００７２】
上で説明したプログラムまたはソフトウェアモジュールは、コンピュータ１２００上またはコンピュータ１２００近傍のコンピュータ可読記憶媒体に格納されてよい。また、専用通信ネットワークまたはインターネットに接続されたサーバーシステム内に提供されるハードディスクまたはＲＡＭのような記録媒体が、コンピュータ可読記憶媒体として使用可能であり、それによりプログラムを、ネットワークを介してコンピュータ１２００に提供する。
【００７３】
特許請求の範囲、明細書、及び図面中において示した装置、システム、プログラム、及び方法における動作、手順、ステップ、及び段階等の各処理の実行順序は、特段「より前に」、「先立って」等と明示しておらず、また、前の処理の出力を後の処理で用いるのでない限り、任意の順序で実現しうることに留意すべきである。特許請求の範囲、明細書、及び図面中の動作フローに関して、便宜上「まず、」、「次に、」等を用いて説明したとしても、この順で実施することが必須であることを意味するものではない。
【００７４】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００７５】
１０  ＵＡＶ
２０  ＵＡＶ本体
３０  ＵＡＶ制御部
３６  通信インタフェース
３７  メモリ
４０  推進部
４１  ＧＰＳ受信機
４２  慣性計測装置
４３  磁気コンパス
４４  気圧高度計
４５  温度センサ
４６  湿度センサ
５０  ジンバル
６０  撮像装置
１００  撮像装置
１０２  撮像部
１１０  撮像制御部
１１２  自動露出制御部
１１４  透過率制御部
１２０  イメージセンサ
１３０  メモリ
１４０  加速度センサ
１５０  測光センサ
２００  レンズ部
２１０  レンズ
２１２  レンズ駆動部
２１４  位置センサ
２２０  レンズ制御部
２２２  メモリ
２３０  光学デバイス
２３２  偏光フィルタ駆動部
２３４，２３６  偏光フィルタ
３００  遠隔操作装置
１２００  コンピュータ
１２１０  ホストコントローラ
１２１２  ＣＰＵ
１２１４  ＲＡＭ
１２２０  入力／出力コントローラ
１２２２  通信インタフェース
１２３０  ＲＯＭ
【要約】
【課題】自動露出制御による露出が必ずしもユーザの意図に沿った露出にならない場合がある。
【解決手段】制御装置は、撮像装置の目標の露出値に基づいて撮像装置の絞り値及び露光時間の少なくとも一方を制御する制御装置でよい。制御装置は、撮像装置が備えるイメージセンサに入射する光を透過する光学デバイスの光の透過率に基づいて、目標の露出値を変更するように構成される回路を備えてよい。回路は、撮像装置の絞り値及び露光時間の少なくとも一方を変更するための指示データを取得し、指示データ及び目標の露出値に基づいて、第１絞り値及び第１露光時間を決定し、第１絞り値が予め定められた絞り値範囲内にない、または第１露光時間が予め定められた露光時間範囲内にない場合、光学デバイスの透過率を変更し、変更された光学デバイスの透過率に基づいて、目標の露出値を変更するように構成されてよい。
【選択図】図３【図１】
0006794601.tif 000002
【図２】
0006794601.tif 000003
【図３】
0006794601.tif 000004
【図４】
0006794601.tif 000005
【図５】
0006794601.tif 000006
【図６】
0006794601.tif 000007
【図７】
0006794601.tif 000008